(57)【要約】【課題】長エプロンの変形を防止できる浴槽エプロンの取付構造を提供する。【解決手段】浴槽エプロン１１を洗い場側から見て幅の長い長エプロン１２と幅の短い短エプロン１３とに分割する。短エプロン１３の上下方向の少なくとも中央部に長エプロン１２側に向けて突出する支持突起３５を形成する。支持突起３５で長エプロン１２を浴槽３側から支持する。【選択図】        図１
2009233064.tif 000002
【特許請求の範囲】
【請求項１】
浴槽エプロンを洗い場側から見て幅の長い長エプロンと幅の短い短エプロンとに分割し、短エプロンの上下方向の少なくとも中央部に長エプロン側に向けて突出する支持突起を形成し、該支持突起で長エプロンを浴槽側から支持することを特徴とする浴槽エプロンの取付構造。
【請求項２】
短エプロンの長エプロン側の端縁に浴槽側に向けて突出する側縁片を形成し、上記支持突起を側縁片の浴槽側の端部から長エプロン側に向けて突出形成したことを特徴とする請求項１に記載の浴槽エプロンの取付構造。
【請求項３】
上記支持突起を少なくとも短エプロンの上下方向の中央部から上端部まで連続して形成し、浴槽のフランジから支持部を突設し、該支持部で支持突起の上部を浴槽側から支持することを特徴とする請求項１又は請求項２に記載の浴槽エプロンの取付構造。
【発明の詳細な説明】
【技術分野】
【０００１】
本発明は浴槽の洗い場側の面を塞ぐ浴槽エプロンの取付構造に関する。
【背景技術】
【０００２】
従来、例えば特許文献１のように浴槽の洗い場側の面を塞ぐ浴槽エプロンを洗い場側から見て幅の長い長エプロンと幅の短い短エプロンとに分割したものがある。このものは浴槽エプロンを複数に分割することで施工を容易にでき、例えば洗い場に面する壁にカウンタを設けた後にエプロンを取り付けるにあたって、浴槽とカウンタとの間に短エプロンを容易に差し込めるようにし、エプロンの取り付けを容易にできるといった利点がある。
【０００３】
ところで、上記長エプロン及び短エプロンは上端部を浴槽に固定すると共に下端部を洗い場を構成する床パンに固定するものであるが、通常隣接する長エプロンと短エプロンの側端部同士は連結していない。このため長エプロンと短エプロンの接続部分に浴槽側に押される等して荷重がかかった場合には、幅が広く変形しやすくなった長エプロンの側端部が浴槽側に向かって変形する恐れがある。ここで、長エプロンの上下両端部は浴槽及び床パンに固定してあるためあまり問題とはならないが、固定部分から離れた位置にある長エプロンの短エプロン側の側縁部の上下方向の中央部は上記変形が生じやすい。
【特許文献１】特開２００４−５７４０５号公報
【発明の開示】
【発明が解決しようとする課題】
【０００４】
本発明は上記従来の問題点に鑑みてなされたものであって、長エプロンの変形を防止できる浴槽エプロンの取付構造を提供することにある。
【課題を解決するための手段】
【０００５】
上記課題を解決するために請求項１に係る浴槽エプロンの取付構造は、浴槽エプロン１１を洗い場側から見て幅の長い長エプロン１２と幅の短い短エプロン１３とに分割し、短エプロン１３の上下方向の少なくとも中央部に長エプロン１２側に向けて突出する支持突起３５を形成し、該支持突起３５で長エプロン１２を浴槽３側から支持することを特徴とする。
【０００６】
また、請求項２は請求項１において、短エプロン１３の長エプロン１２側の端縁に浴槽３側に向けて突出する側縁片３４を形成し、上記支持突起３５を側縁片３４の浴槽３側の端部から長エプロン１２側に向けて突出形成したことを特徴とする。
【０００７】
また、請求項３は請求項１又は請求項２において、上記支持突起３５を少なくとも短エプロン１３の上下方向の中央部から上端部まで連続して形成し、浴槽３のフランジ部６から支持部（実施形態では浴槽リブ９ａ）を突設し、該支持部で支持突起３５の上部を浴槽３側から支持することを特徴とする。
【発明の効果】
【０００８】
請求項１に係る発明では、変形し難い短エプロンから長エプロン側に向けて突出する支持突起により、比較的変形しやすい長エプロンの上下方向における中央部を浴槽側から支持することができ、長エプロンと短エプロンの接続部分の上下方向の中央部が浴槽側に押される等した場合に長エプロンが変形することを防止できる。
【０００９】
また請求項２に係る発明では、請求項１に係る発明の効果に加えて、短エプロンに側縁片を形成し、これに支持突起を形成することで、この部分の強度を高めることができ、上記支持突起による長エプロンの支持強度を高めることができる。
【００１０】
また請求項３に係る発明では、請求項１又は請求項２に係る発明の効果に加えて、支持突起の上部を支持部により浴槽側から支持できるので、上記長エプロンの変形をより一層防止できる。
【発明を実施するための最良の形態】
【００１１】
以下、本実施形態を図１乃至図８に基づいて説明する。本実施形態は浴室ユニットに適用されるものである。浴室ユニットは、床を構成する床パン１と、壁を構成する壁パネル（図示せず）と、天井を構成する天井パネル（図示せず）を備えている。
【００１２】
図２に示す床パン１は合成樹脂製であり、洗い場を構成する洗い場部２と、浴槽３（図８参照）を設置するための浴槽設置部（図示せず）を備えている。図３等に示すように洗い場部２と浴槽設置部との境界部分には上方に立ち上げた堤部４を一体に形成してあり、該堤部４により洗い場部２上の水が浴槽設置部側に流れることを防止している。なお、図２中５は洗い場部２に形成した排水口である。
【００１３】
図８に示すように浴槽３は合成樹脂製で洗い場部２に沿って長い。浴槽３の槽部８の上端部には外側に向けて突出するフランジ部６を周方向の全長に亘って一体に形成している。フランジ部６の外周縁には全長に亘って垂下片部７を一体に垂設している。
【００１４】
浴槽３のフランジ部６の周方向の複数箇所には下方に向けて突出する浴槽リブ９を一体に形成している。各浴槽リブ９は槽部８の上端部に一体に接続してある。
【００１５】
上記浴槽リブ９のうちフランジ部６の洗い場部２と反対側に位置する浴槽リブ９は垂下片部７に一体に接続している。また、フランジ部６の洗い場部２側に位置する各浴槽リブ９は垂下片部７に接続しておらず、各浴槽リブ９の洗い場部２側の端部と垂下片部７との間には嵌込用空所１０が形成されている。
【００１６】
図２のように床パン１の堤部４上、即ち、浴槽設置部上に設置した浴槽３の洗い場部２側のフランジ部６と堤部４の間には浴槽エプロン１１を配設してある。
【００１７】
浴槽エプロン１１は洗い場部２側から見て左右幅の長い長エプロン１２と左右幅の短い短エプロン１３とに分割してあり、該長エプロン１２と短エプロン１３で構成された浴槽エプロン１１によりフランジ部６と堤部４の間は覆い隠される。
【００１８】
ここで、図示は省略するが、浴槽３の長手方向と直交する洗い場部２に面する壁パネルのうち、一方の壁パネルには洗い場部２側に向けてカウンタを突設してあり、上記長エプロン１２及び短エプロン１３のうち、短エプロン１３をカウンタを設けた壁パネル側に位置させ、反対側に長エプロン１２を位置させている。つまり、短エプロン１３は浴槽３とカウンタの間に配設される。
【００１９】
短エプロン１３の幅は上下長さよりも短くなっている。図７等に示すように短エプロン１３の上端部にはＬ字状部１４を一体に形成している。Ｌ字状部１４は、短エプロン１３の洗い場部２側に面する表面部２０の上縁から浴槽３側である背方に向けて突出した横片部１４ａと、横片部１４ａの後縁から上方に突出した縦片部１４ｂとからなる。縦片部１４ｂの上縁には背方に向けて突出する上縁片１５を一体に形成している。また、表面部２０の下縁部には背方に向けて突出する下縁片１６を一体に形成している。Ｌ字状部１４、上縁片１５、下縁片１６は表面部２０の幅方向の全長に亘って形成してある。
【００２０】
一方、長エプロン１２の幅は上下長さよりも長くなっている。図３等に示すように長エプロン１２も短エプロン１３と同様に表面部、Ｌ字状部、上縁片、下縁片を備えている。以下、長エプロン１２の表面部、Ｌ字状部、上縁片、下縁片は、表面部２３、Ｌ字状部１７、上縁片１８、下縁片１９と記載する。また、Ｌ字状部１７を構成する横片部及び縦片部は横片部１７ａ、縦片部１７ｂと記載する。なお、下縁片１９は図５に示す部分のみ形成しておらず、この部分は手指入れ部となっている。
【００２１】
上記浴槽エプロン１１の施工は、浴槽３を設置した後、短エプロン１３及び長エプロン１２を順に立設することで行う。なお、本実施形態のようにカウンタを設ける場合はカウンタを施工した後に浴槽エプロン１１の施工を行う。
【００２２】
短エプロン１３を施工する前には、図６に示すように予め短エプロン１３に取付具２１を取付けると共に床パン１の堤部４上の取付具２１に対応する箇所に支持具２２を取り付けておく。
【００２３】
取付具２１は表面部２０の幅方向の中央部の下部から背方に突出した取付片部２４に取付けられる。取付具２１は取付状態において短エプロン１３よりも背方に突出する部分に支持具２２の上端部に係止可能な係止部２５を形成している。
【００２４】
短エプロン１３を洗い場部２に沿って立設するには、図７に示すように縦片部１４ｂ及び上縁片１５からなる上縁部分を浴槽３の嵌込用空所１０に嵌め込んで、横片部１４ａを垂下片部７の下端に近接させる。同時に図６に示すように短エプロン１３に取付けた取付具２１を床パン１の堤部４上に取付けた支持具２２上に載置し、該取付具２１の係止部２５を支持具２２の上部に係止する。これにより短エプロン１３は前後方向及び上下方向に位置決めされ、上端部が浴槽３に、下端部が床パン１に固定された状態となる。この取付け状態では下縁片１６が堤部４の上部前方に位置し、該短エプロン１３によって浴槽３の片側部分の洗い場部２側が覆い隠される。
【００２５】
上記短エプロン１３の上縁部分の嵌込用空所１０への嵌め込み及び取付具２１の支持具２２上への載置並びに係止は、洗い場部２に居る作業者が短エプロン１３を施工予定箇所の長エプロン１２側の側方に配置し、ここから短エプロン１３を施工予定箇所である側方に移動することで行えるようにしてあり、これにより浴槽３とカウンタの間に側方から短エプロン１３を差し込んで短エプロン１３を施工できるようになっている。
【００２６】
一方、長エプロン１２を施工する前には、図４に示すように予め長エプロン１２に係止具２７を取り付けると共に床パン１の堤部４上の係止具２７に対応する箇所に被係止具２８を取り付けておく。
【００２７】
係止具２７は表面部２３の幅方向における両側の下部から背方に突出した取付部２９に取付けられる。各係止具２７には背方に突出する係止突部３０を形成している。また、被係止具２８の係止突部３０に対応する箇所には係止突部３０を着脱自在に係止可能な凹部３１を形成している。また、図５に示すように長エプロン１２の表面部２３の幅方向における両側の下部には背方に向けて載置部３２を突設してある。
【００２８】
長エプロン１２を洗い場部２に沿って立設するには、図示は省略するが、縦片部１７ｂ及び上縁片１８からなる上縁部分を浴槽３の嵌込用空所１０に嵌め込んで、横片部１７ａを垂下片部７の下端に近接させる。また、図５に示すように長エプロン１２の各載置部３２を堤部４上に載置すると共に、図４に示すように長エプロン１２に取り付けた各係止具２７の係止突部３０を堤部４上に設けた対応する被係止具２８の凹部３１に挿入して係止する。
【００２９】
上記長エプロン１２の上縁部分が嵌め込まれる嵌込用空所１０の前後寸法は上縁部分の前後寸法よりもやや長めにしてあり、これにより長エプロン１２を上縁部分を嵌込用空所１０に嵌め込んだ状態で、長エプロン１２を上縁部分を中心に若干量前後に回動できるようにしてある。従って、上記長エプロン１２の施工は、まず長エプロン１２を下部が後方に位置するように傾けた状態でその上縁部分を嵌込用空所１０に嵌め込み、この後、長エプロン１２の下部を浴槽３側に押して、長エプロン１２を上縁部分を中心に浴槽３側に回動し、これにより長エプロン１２の各載置部３２を堤部４上に載置すると共に、各係止具２７の係止突部３０を被係止具２８の凹部３１に挿入係止する。このため本実施形態のように先に短エプロン１３を施工した状態でも、長エプロン１２を洗い場部２側から簡単に施工できるようになっている。
【００３０】
次に本発明の浴槽エプロンの取付構造において特徴的な点について説明する。
【００３１】
図１に示すように長エプロン１２及び短エプロン１３の夫々の表面部２３、２０の両側縁部には背方（浴槽３側）に向けて突出する側縁片３３、３４を上下全長に亘って一体に形成してあるが、このうち短エプロン１３の長エプロン１２側の側縁片３４の後端部（浴槽３側の端部）には長エプロン１２側に向けて突出する支持突起３５を一体に形成してある。また、この支持突起３５は図２に示すように側縁片３４の上下全長に亘って形成してある。なお、図１では浴槽３の垂下片部７の図示を省略している。
【００３２】
図１に示すように長エプロン１２及び短エプロン１３を施工した状態では、短エプロン１３から突出した支持突起３５の前面が上下全長に亘って長エプロン１２の側縁片３３の後端面に当接し、また、支持突起３５の上端部及び下端部の前面は夫々上縁片１８及び下縁片１９の側端部の後面に当接する。これにより長エプロン１２の側縁部は上下全長に亘って支持突起３５により浴槽３側から支持されることとなる。
【００３３】
また、図１に示すように支持突起３５の上端部の後面には対応位置にある浴槽リブ９（以下、浴槽リブ９ａと記載する）の前端面が当接し、該浴槽リブ９ａにより浴槽３側から支持されている。即ち本実施形態では浴槽リブ９ａにより支持部を構成している。なお、この浴槽リブ９ａは他の浴槽リブ９と比較して厚みが厚く、また浴槽３の槽部８からの突出量も短く、強度が高いものとなっている。
【００３４】
このように本実施形態では短エプロン１３に形成した支持突起３５により長エプロン１２の側縁部を上下全長に亘って浴槽３側から支持できるので、長エプロン１２と短エプロン１３の接続部分の上下方向の中央部が浴槽３側に押される等しても、この荷重を幅が短く変形し難い短エプロン１３に形成した支持突起３５により受けることができ、この荷重に伴って長エプロン１２の側端部の上下方向における中央部が変形することを防止できる。
【００３５】
また、上記のように短エプロン１３に側縁片３４を形成し、この側縁片３４に支持突起３５を形成することで、支持突起３５を形成した部分の強度を高め、上記支持突起３５による長エプロン１２の支持強度を高めることができる。
【００３６】
また、本実施形態では支持突起３５の上部を浴槽リブ９ａにより浴槽３側から支持しているので、上記長エプロン１２の変形をより一層防止できる。
【００３７】
なお、本実施形態では支持突起３５を側縁片３４の上下全長に亘って形成したが、該支持突起３５は側縁片３４の下部には形成せず、上下方向の中央部から上端部に至るまでの範囲にのみ形成しても良く、また、支持突起３５を浴槽リブ９ａで支持しない場合には支持突起３５の上下方向の中央部にのみ形成しても良く、即ち、支持突起３５は少なくとも短エプロン１３の上下方向の中央部に形成してあれば良い。また、支持突起３５を浴槽３側から支持する支持部を浴槽３のフランジ部６から一体に突出する浴槽リブ９ａで構成したが、支持部を浴槽３のフランジ部６の下面に設けた支持具で構成する等しても良い。
【図面の簡単な説明】
【００３８】
【図１】本発明の実施形態の一例を示し、図２のＡ−Ａ断面図である。
【図２】同上の浴槽エプロンの洗い場側から見た正面図である。
【図３】同上の長エプロン部分における側断面図である。
【図４】同上の係止具近傍部分の側断面図である。
【図５】同上の載置部近傍部分の側断面図である。
【図６】同上の取付具を設けた部分における側断面図である。
【図７】同上の短エプロンに対応する浴槽リブを設けた部分における側断面図である。
【図８】浴槽の平面図である。
【符号の説明】
【００３９】
３  浴槽
９  浴槽リブ
１１  浴槽エプロン
１２  長エプロン
１３  短エプロン
３４  側縁片
３５  支持突起 
【図１】
2009233064.tif 000003
【図２】
2009233064.tif 000004
【図３】
2009233064.tif 000005
【図４】
2009233064.tif 000006
【図５】
2009233064.tif 000007
【図６】
2009233064.tif 000008
【図７】
2009233064.tif 000009
【図８】
2009233064.tif 000010